【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
フレキシブル帯域幅への対応能力のあるユーザ機器を判定するための方法であって、
１つまたは複数のメッセージを１つまたは複数のユーザ機器、ＵＥ、に送信すること、ここにおいて、前記１つまたは複数のメッセージが、前記１つまたは複数のＵＥのいずれがフレキシブル帯域幅キャリアを利用することが可能かを判定するのを少なくとも支援するように構成され、ここにおいて、フレキシブル帯域幅キャリアは、通常帯域幅のシステムに対してフレキシブル帯域幅のシステムの時間またはチップレートを拡大または縮小することを通じて生成される、と、
前記１つまたは複数の送信されたメッセージに応答して、前記１つまたは複数のＵＥの１つまたは複数から１つまたは複数の応答を受信することと、
前記１つまたは複数のＵＥのいずれが前記フレキシブル帯域幅キャリアを利用することが可能か判定するように、前記１つまたは複数の受信された応答を利用することと、
を備える、方法。
【請求項２】
前記１つまたは複数のＵＥの１つまたは複数から前記１つまたは複数の応答を受信することが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信することを備える、請求項１に記載の方法。
【請求項３】
１つまたは複数のメッセージを１つまたは複数のユーザ機器、ＵＥ、に送信することが、
通常帯域幅のシステムに関して使用されない周波数の測定結果に対応するメッセージを、前記１つまたは複数のＵＥに送信することを備える、請求項２に記載の方法。
【請求項４】
前記使用されない周波数が無効な周波数を備える、請求項３に記載の方法。
【請求項５】
前記使用されない周波数が条件付きの周波数を備える、請求項３に記載の方法。
【請求項６】
前記１つまたは複数のＵＥの１つまたは複数から前記１つまたは複数の応答を受信することが、
前記１つまたは複数のＵＥの前記１つまたは複数がフレキシブル帯域幅キャリアを識別できることを示す、１つまたは複数の応答を受信することを備える、請求項１に記載の方法。
【請求項７】
前記１つまたは複数のＵＥの１つまたは複数から前記１つまたは複数の応答を受信することが、
前記１つまたは複数のＵＥの１つまたは複数のフレキシブル帯域幅への対応能力を示す、１つまたは複数の情報要素、ＩＥ、を受信することを備える、請求項１に記載の方法。
【請求項８】
前記１つまたは複数のメッセージを１つまたは複数のＵＥに送信することが、別の帯域幅キャリアで行われる、請求項１に記載の方法。
【請求項９】
前記別の帯域幅キャリアが通常帯域幅キャリアを含む、請求項８に記載の方法。
【請求項１０】
前記別の帯域幅キャリアが別の無線アクセス技術上にある、請求項８に記載の方法。
【請求項１１】
１つまたは複数のメッセージを１つまたは複数のＵＥに送信することが、他のＵＥによってサポートされる第１のキャリアで行われる、請求項１に記載の方法。
【請求項１２】
前記１つまたは複数のメッセージを送信することが、どのＵＥが第２のキャリアをサポートすることが可能かを判定するのを支援するために第１のキャリアで行われ、ここにおいて、前記第２のキャリアがフレキシブル帯域幅キャリアである、請求項１に記載の方法。
【請求項１３】
前記ＵＥの少なくとも１つに対してタイムアウト期間が発生したと判定することをさらに備える、請求項１に記載の方法。
【請求項１４】
フレキシブル帯域幅への対応能力のあるユーザ機器を判定するために構成されるワイヤレス通信システムであって、
１つまたは複数のメッセージを１つまたは複数のユーザ機器、ＵＥ、に送信するための手段、ここにおいて、前記１つまたは複数のメッセージは、前記１つまたは複数のＵＥのいずれがフレキシブル帯域幅キャリアを利用することが可能かを判定するのを少なくとも支援するように構成され、ここにおいて、フレキシブル帯域幅キャリアは、通常帯域幅のシステムに対してフレキシブル帯域幅のシステムの時間またはチップレートを拡大または縮小することを通じて生成される、と、
前記１つまたは複数の送信されたメッセージに応答して、前記１つまたは複数のＵＥの１つまたは複数から１つまたは複数の応答を受信するための手段と、
前記１つまたは複数のＵＥのいずれが前記フレキシブル帯域幅キャリアを利用することが可能かを判定するように、前記１つまたは複数の受信された応答を利用するための手段と、
を備える、ワイヤレス通信システム。
【請求項１５】
コンピュータによって実行されたときに請求項１乃至１３のいずれか一項に記載の方法のステップを前記コンピュータに行わせるコードを備える非一時的コンピュータ可読媒体を備える、ワイヤレス通信システム中のフレキシブル帯域幅への対応能力のあるユーザ機器を判定するためのコンピュータプログラム製品。
【手続補正２】
【補正対象書類名】明細書
【補正対象項目名】０３３２
【補正方法】変更
【補正の内容】
【０３３２】
本開示のここまでの説明は、当業者が本開示を作成または使用することができるように与えられたものである。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］  フレキシブル帯域幅への対応能力のあるユーザ機器を判定するための方法であって、
１つまたは複数のメッセージを１つまたは複数のユーザ機器（ＵＥ）に送信すること、ここにおいて、前記１つまたは複数のメッセージが、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信することと、
前記１つまたは複数のＵＥのいずれが前記フレキシブル帯域幅キャリアを利用することが可能か判定するように、前記１つまたは複数の受信された応答を利用することと、
を備える、方法。
［Ｃ２］  前記１つまたは複数のＵＥの１つまたは複数から前記１つまたは複数の応答を受信することが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信することを備える、Ｃ１に記載の方法。
［Ｃ３］  １つまたは複数のメッセージを１つまたは複数のユーザ機器（ＵＥ）に送信することが、
通常帯域幅のシステムに関して使用されない周波数の測定結果に対応するメッセージを、前記１つまたは複数のＵＥに送信することを備える、Ｃ２に記載の方法。
［Ｃ４］  前記使用されない周波数が無効な周波数を備える、Ｃ３に記載の方法。
［Ｃ５］  前記使用されない周波数が条件付きの周波数を備える、Ｃ３に記載の方法。
［Ｃ６］  前記１つまたは複数のＵＥの１つまたは複数から前記１つまたは複数の応答を受信することが、
前記１つまたは複数のＵＥの前記１つまたは複数がフレキシブル帯域幅キャリアを識別できることを示す、１つまたは複数の応答を受信することを備える、Ｃ１に記載の方法。
［Ｃ７］  前記１つまたは複数のＵＥの１つまたは複数から前記１つまたは複数の応答を受信することが、
前記１つまたは複数のＵＥの１つまたは複数のフレキシブル帯域幅への対応能力を示す、１つまたは複数の情報要素（ＩＥ）を受信することを備える、Ｃ１に記載の方法。
［Ｃ８］  前記１つまたは複数のメッセージを１つまたは複数のＵＥに送信することが、別の帯域幅キャリアで行われる、Ｃ１に記載の方法。
［Ｃ９］  前記別の帯域幅キャリアが通常帯域幅キャリアを含む、Ｃ８に記載の方法。
［Ｃ１０］  前記別の帯域幅キャリアが別の無線アクセス技術上にある、Ｃ８に記載の方法。
［Ｃ１１］  １つまたは複数のメッセージを１つまたは複数のＵＥに送信することが、他のＵＥによってサポートされる第１のキャリアで行われる、Ｃ１に記載の方法。
［Ｃ１２］  前記１つまたは複数のメッセージを送信することが、どのＵＥが第２のキャリアをサポートすることが可能かを判定するのを支援するために第１のキャリアで行われ、ここにおいて、前記第２のキャリアがフレキシブル帯域幅キャリアである、Ｃ１に記載の方法。
［Ｃ１３］  前記ＵＥの少なくとも１つに対してタイムアウト期間が発生したと判定することをさらに備える、Ｃ１に記載の方法。
［Ｃ１４］  フレキシブル帯域幅への対応能力のあるユーザ機器を判定するために構成されるワイヤレス通信システムであって、
１つまたは複数のメッセージを１つまたは複数のユーザ機器（ＵＥ）に送信するための手段、ここにおいて、前記１つまたは複数のメッセージは、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信するための手段と、
前記１つまたは複数のＵＥのいずれが前記フレキシブル帯域幅キャリアを利用することが可能かを判定するように、前記１つまたは複数の受信された応答を利用するための手段と、
を備える、ワイヤレス通信システム。
［Ｃ１５］  前記１つまたは複数のＵＥの１つまたは複数から前記１つまたは複数の応答を受信するための前記手段が、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するための手段を備える、Ｃ１４に記載のシステム。
［Ｃ１６］  １つまたは複数のメッセージを１つまたは複数のユーザ機器（ＵＥ）に送信するための前記手段が、
通常帯域幅のシステムに関して使用されない周波数の測定結果に対応するメッセージを、前記１つまたは複数のＵＥに送信するための手段を備える、Ｃ１５に記載のシステム。
［Ｃ１７］  前記１つまたは複数のＵＥの１つまたは複数から前記１つまたは複数の応答を受信するための前記手段が、
前記１つまたは複数のＵＥの前記１つまたは複数がフレキシブル帯域幅キャリアを識別できることを示す、１つまたは複数の応答を受信するための手段を備える、Ｃ１４に記載のシステム。
［Ｃ１８］  前記１つまたは複数のＵＥの１つまたは複数から前記１つまたは複数の応答を受信するための前記手段が、
前記１つまたは複数のＵＥの１つまたは複数のフレキシブル帯域幅への対応能力を示す、１つまたは複数の情報要素（ＩＥ）を受信するための手段を備える、Ｃ１４に記載のシステム。
［Ｃ１９］  前記１つまたは複数のメッセージを１つまたは複数のＵＥに送信するための前記手段が、別の帯域幅キャリアで行われる、Ｃ１４に記載のシステム。
［Ｃ２０］  １つまたは複数のメッセージを１つまたは複数のＵＥに送信するための前記手段が、他のＵＥによってサポートされる第１のキャリアで行われる、Ｃ１４に記載のシステム。
［Ｃ２１］  前記１つまたは複数のメッセージを送信するための前記手段が、どのＵＥが第２のキャリアをサポートすることが可能かを判定するのを支援するために第１のキャリアで行われ、ここにおいて、前記第２のキャリアがフレキシブル帯域幅キャリアである、Ｃ１４に記載のシステム。
［Ｃ２２］  前記ＵＥの少なくとも１つに対してタイムアウト期間が発生したと判定するための手段をさらに備える、Ｃ１４に記載のシステム。
［Ｃ２３］  非一時的コンピュータ可読媒体を備える、ワイヤレス通信システム中のフレキシブル帯域幅への対応能力のあるユーザ機器を判定するためのコンピュータプログラム製品であって、前記非一時的コンピュータ可読媒体が、
１つまたは複数のメッセージを１つまたは複数のユーザ機器（ＵＥ）に送信するためのコード、ここにおいて、前記１つまたは複数のメッセージは、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信するためのコードと、
前記１つまたは複数のＵＥのいずれが前記フレキシブル帯域幅キャリアを利用することが可能かを判定するように、前記１つまたは複数の受信された応答を利用するためのコードとを備える、コンピュータプログラム製品。
［Ｃ２４］  前記１つまたは複数のＵＥの１つまたは複数から前記１つまたは複数の応答を受信するための前記コードが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するためのコードを備える、Ｃ２３に記載のコンピュータプログラム製品。
［Ｃ２５］  １つまたは複数のメッセージを１つまたは複数のＵＥに送信するための前記コードが、
通常帯域幅のシステムに関して使用されない周波数の測定結果に対応するメッセージを、前記１つまたは複数のＵＥに送信するためのコードを備える、Ｃ２４に記載のコンピュータプログラム製品。
［Ｃ２６］  前記１つまたは複数のＵＥの１つまたは複数から前記１つまたは複数の応答を受信するための前記コードが、
前記１つまたは複数のＵＥの前記１つまたは複数がフレキシブル帯域幅キャリアを識別できることを示す、１つまたは複数の応答を受信するためのコードを備える、Ｃ２３に記載のコンピュータプログラム製品。
［Ｃ２７］  前記１つまたは複数のＵＥの１つまたは複数から前記１つまたは複数の応答を受信するための前記コードが、
前記１つまたは複数のＵＥの１つまたは複数のフレキシブル帯域幅への対応能力を示す、１つまたは複数の情報要素（ＩＥ）を受信するためのコードを備える、Ｃ２３に記載のコンピュータプログラム製品。
［Ｃ２８］  前記１つまたは複数のメッセージを１つまたは複数のＵＥに送信することが、別の帯域幅キャリアで行われる、Ｃ２３に記載のコンピュータプログラム製品。
［Ｃ２９］  １つまたは複数のメッセージを１つまたは複数のＵＥに送信することが、他のＵＥによってサポートされる第１のキャリアで行われる、Ｃ２３に記載のコンピュータプログラム製品。
［Ｃ３０］  前記１つまたは複数のメッセージを送信するための前記コードが、どのＵＥが第２のキャリアをサポートすることが可能かを判定するのを支援するために第１のキャリアを通じて実行され、ここにおいて、前記第２のキャリアがフレキシブル帯域幅キャリアである、Ｃ２３に記載のコンピュータプログラム製品。
［Ｃ３１］  前記ＵＥの少なくとも１つに対してタイムアウト期間が発生したと判定するためのコードをさらに備える、Ｃ２３に記載のコンピュータプログラム製品。
［Ｃ３２］  少なくとも１つのプロセッサを備える、ワイヤレス通信システム中のフレキシブル帯域幅への対応能力のあるユーザ機器を判定するために構成されるワイヤレス通信デバイスであって、前記少なくとも１つのプロセッサが、
１つまたは複数のメッセージを１つまたは複数のユーザ機器（ＵＥ）に送信すること、ここにおいて、前記１つまたは複数のメッセージが、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信することと、
前記１つまたは複数のＵＥのいずれが前記フレキシブル帯域幅キャリアを利用することが可能かを判定するように、前記１つまたは複数の受信された応答を利用することと、
を行うように構成される、ワイヤレス通信デバイス。
［Ｃ３３］  前記１つまたは複数のＵＥの１つまたは複数から前記１つまたは複数の応答を受信するように構成される前記少なくとも１つのプロセッサが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するように構成される、Ｃ３２に記載のワイヤレス通信デバイス。
［Ｃ３４］  １つまたは複数のメッセージを１つまたは複数のＵＥに送信するように構成される前記少なくとも１つのプロセッサが、
通常帯域幅のシステムに関して使用されない周波数の測定結果に対応するメッセージを、前記１つまたは複数のＵＥに送信するように構成される、Ｃ３３に記載のワイヤレス通信デバイス。
［Ｃ３５］  前記１つまたは複数のＵＥの１つまたは複数から前記１つまたは複数の応答を受信するように構成される前記少なくとも１つのプロセッサが、
前記１つまたは複数のＵＥの前記１つまたは複数がフレキシブル帯域幅キャリアを識別できることを示す、１つまたは複数の応答を受信するように構成される、Ｃ３２に記載のワイヤレス通信デバイス。
［Ｃ３６］  前記１つまたは複数のＵＥの１つまたは複数から前記１つまたは複数の応答を受信するように構成される前記少なくとも１つのプロセッサが、
前記１つまたは複数のＵＥの１つまたは複数のフレキシブル帯域幅への対応能力を示す、１つまたは複数の情報要素（ＩＥ）を受信するように構成される、Ｃ３２に記載のワイヤレス通信デバイス。
［Ｃ３７］  前記１つまたは複数のメッセージを１つまたは複数のＵＥに送信することが、別の帯域幅キャリアで行われる、Ｃ３２に記載のワイヤレス通信デバイス。
［Ｃ３８］  １つまたは複数のメッセージを１つまたは複数のＵＥに送信することが、他のＵＥによってサポートされる第１のキャリアで行われる、Ｃ３２に記載のワイヤレス通信デバイス。
［Ｃ３９］  前記１つまたは複数のメッセージを送信することが、どのＵＥが第２のキャリアをサポートすることが可能かを判定するのを支援するために第１のキャリアで行われ、前記第２のキャリアがフレキシブル帯域幅キャリアである、Ｃ３２に記載のワイヤレス通信デバイス。
［Ｃ４０］  前記少なくとも１つのプロセッサがさらに、
前記ＵＥの少なくとも１つに対してタイムアウト期間が発生したと判定するように構成される、Ｃ３２に記載のワイヤレス通信デバイス。